(57)【要約】【課題】正規の持ち出し以外の者が不正に登録物品を持ち出すことができない物品管理システムを提供する。【解決手段】電気錠付きの扉１０を有する所定空間からの物品の持ち出しを管理する物品管理システムは、物品を特定する物品特定用情報が書き込まれたＩＣタグから物品特定用情報を読み取るタグリーダ３０Ａと、生体からの情報を読み取り生体を認証する生体認証装置２０Ａと、生体認証装置２０Ａにより特定される生体特定用情報と、物品特定用情報とに基づいて、所定空間からの物品特定用情報で特定される物品の持ち出しを許可するか否かを判定し、判定が許可であるとき電気錠を開状態に制御する制御装置４０とを有する。【選択図】図１
2009035994.tif 000002
【特許請求の範囲】
【請求項１】
電磁ロック手段を備える出口を有する所定空間からの物品の持ち出しを管理する物品管理システムであって、
物品を特定する物品特定用情報が書き込まれたＩＣタグから前記物品特定用情報を読み取るＩＣタグ読取手段と、
生体からの情報を読み取り生体を認証する生体認証手段と、
前記生体認証手段による認証の結果として特定される生体特定用情報と、前記物品特定用情報とに基づいて、前記所定空間からの前記物品特定用情報で特定される物品の持ち出しを許可するか否かを判定し、前記判定が許可であるとき前記電磁ロック手段を開状態に制御する制御手段と、を有する
ことを特徴とする物品管理システム。
【請求項２】
電磁ロック手段を備える入口を有する所定空間への物品の持ち込みを管理する物品管理システムであって、
物品を特定する物品特定用情報が書き込まれたＩＣタグから前記物品特定用情報を読み取るＩＣタグ読取手段と、
生体からの情報を読み取り生体を認証する生体認証手段と、
前記生体認証手段による認証結果として特定される生体特定用情報と、前記物品特定用情報とに基づいて、前記所定空間への前記物品特定用情報で特定される物品の持ち込みを許可するか否かを判定し、前記判定が許可であるとき前記電磁ロック手段を開状態に制御する制御手段と、を有する
ことを特徴とする物品管理システム。
【請求項３】
前記制御手段は、前記物品特定用情報と、前記生体特定用情報との関係付けをする物品関係情報を有する
ことを特徴とする請求項１または請求項２に記載の物品管理システム。
【請求項４】
物品を特定する物品特定情報が書き込まれたＩＣタグを有する物品が、電磁ロック手段を有する出口から持ち出しを管理される物品管理方法であって、
前記ＩＣタグから前記物品特定用情報を読み取るＩＣタグ読取手段を介して得られる前記物品特定情報が、前記電磁ロック手段を制御する制御手段に入力されるステップと、
生体からの情報を読み取り生体を認証する生体認証手段を介して得られる前記物品を持ち出す生体を特定する生体特定用情報が、前記制御手段に入力されるステップと、
前記制御手段が、前記生体特定用情報と前記物品特定用情報とに基づいて、前記出口からの前記物品特定用情報で特定される物品の持ち出しを許可するか否かを判定するステップと、
前記制御手段が、前記判定が許可であるとき前記電磁ロック手段を開状態に制御するステップと、を含む
ことを特徴とする物品管理方法。
【請求項５】
開閉ゲート手段を備える所定空間に対して車両の入退場を管理する車両管理システムであって、
前記開閉ゲート手段の入口側に、搭乗者を特定する搭乗者特定用情報が書き込まれたＩＣタグから前記搭乗者特定用情報を読み取る第１のＩＣタグ読取手段と、
前記開閉ゲート手段の入口側に、前記車両の車番を認識する第１の車番認識手段と、
前記開閉ゲート手段の出口側に、搭乗者を特定する搭乗者特定用情報が書き込まれたＩＣタグから前記搭乗者特定用情報を読み取る第２のＩＣタグ読取手段と、
前記開閉ゲート手段の出口側に、前記車両の車番を認識する第２の車番認識手段と、
前記開閉ゲート手段の開閉を制御する制御手段と、を備え、
前記制御手段は、
前記第１の車番認識手段により認識される車番から特定される車番特定用情報と、前記第１のＩＣタグ読取手段からの搭乗者特定用情報とに基づいて、前記所定空間へ入場を許可するか否かを判定し、前記判定が入場許可であるとき前記開閉ゲート手段を開状態に制御し、
前記第２の車番認識手段により認識される車番から特定される車番特定用情報と、前記第２のＩＣタグ読取手段からの搭乗者特定用情報とに基づいて、前記所定空間から退場を許可するか否かを判定し、前記判定が退場許可であるとき前記開閉ゲート手段を開状態に制御する
ことを特徴とする車両管理システム。
【請求項６】
前記制御手段は、前記車両特定用情報と、前記搭乗者特定用情報との関係付けをする車両関係情報を有する
ことを特徴とする請求項５に記載の車両管理システム。
【請求項７】
車番で特定される車両が、開閉ゲート手段を有する出口から退場を管理される車両管理方法であって、
ＩＣタグ読取手段を介して得られる搭乗者を特定する搭乗者特定用情報が、前記開閉ゲート手段を制御する制御手段に入力されるステップと、
前記車番を認識する車番認識手段を介して得られる前記車番を特定する車番特定用情報が、前記制御手段に入力されるステップと、
前記制御手段が、前記車番特定用情報と前記搭乗者特定用情報とに基づいて、前記開閉ゲート手段から退場を許可するか否かを判定するステップと、
前記制御手段が、前記判定が退場許可であるとき前記開閉ゲート手段を開状態に制御するステップと、を含む
ことを特徴とする車両管理方法。
【発明の詳細な説明】
【技術分野】
【０００１】
本発明は、所定空間の物品を管理する物品管理システム、物品管理方法、車両管理システム、および車両管理方法に関するものである。
【背景技術】
【０００２】
従来、会社などから、登録管理された物品を持ち出す際には、会社の出口で守衛などが、現品の持ち出しの点検をしている。この際、守衛所などでカバンから物品を出したりする作業が煩雑であり、急な外出のときには、点検作業に時間を要していた。
【０００３】
このため、守衛所での点検を不要にするため、物品にＩＣタグを設け、持ち出し者には、ＩＣタグを設けた社員証を所持することにより、セキュリティゲートで、通過者および通過する物品を検出することが知られている（例えば、非特許文献１参照）。
【非特許文献１】“ＩＣタグを利用した持出管理システム“、[online]、[平成１９年７月１１日]、インターネット<URL:http://www.e-spc.co.jp/sp-coms/kousei.htm>
【発明の開示】
【発明が解決しようとする課題】
【０００４】
しかしながら、従来の技術にあっては、持ち出し者には、成りすましの問題がつきまとう。すなわち、成りすましには、持ち出し者が、社員証を借用して持ち出し者に成りすます場合や、リーダとＩＣタグの間でやりとりされる電波を盗み見て，それを再現すれば，あたかもそのＩＣタグを持っているかのように振る舞える問題がある。
【０００５】
本発明は、前記課題を解決するためになされたものであり、正規の持ち出し以外の者が不正に登録物品を持ち出すことができない物品管理システム、物品管理方法、車両管理システム、および車両管理方法を提供することを目的とする。
【課題を解決するための手段】
【０００６】
前記目的を達成するため、電磁ロック手段を備える出口（例えば、電気錠付きの扉１０）を有する所定空間からの物品の持ち出しを管理する物品管理システムは、物品を特定する物品特定用情報が書き込まれたＩＣタグから物品特定用情報を読み取るＩＣタグ読取手段（例えば、タグリーダ３０Ａ）と、生体からの情報を読み取り生体を認証する生体認証手段（例えば、生体認証装置２０Ａ）と、生体認証手段による認証の結果として特定される生体特定用情報と、物品特定用情報とに基づいて、所定空間からの物品特定用情報で特定される物品の持ち出しを許可するか否かを判定し、判定が許可であるとき電磁ロック手段を開状態に制御する制御手段（例えば、制御装置４０）と、を有することを特徴とする。
【発明の効果】
【０００７】
本発明によれば、正規の持ち出し以外の者が不正に登録物品を持ち出すことができない。
【発明を実施するための最良の形態】
【０００８】
《第１の実施形態》
以下、本発明を実施するための最良の形態について、適宜図を用いて詳細に説明する。第１の実施形態は、物品管理システムを持ち出し管理システムに適用した実施形態である。第１の実施形態に係る持ち出し管理システムを図１から図５を参照しながら説明する。
【０００９】
図１は、本発明の第１の実施形態に係る持ち出し管理システムを示す概略図である。ここでは、部屋に置かれた複数の物品５０の持ち出しを管理する管理システムである。持ち出し管理システムは、電気錠付きの扉１０、生体認証装置２０Ａ，２０Ｂ，タグリーダ３０Ａ，３０Ｂ、トリガコイル３１Ａ，３１Ｂ、および制御装置４０を備えている。
【００１０】
扉１０の出口側には、物品５０に添付されているアクティブ型のタグＴに対して、質問電波を発生するトリガコイル３１Ａが床面に、ループ型のアンテナとして設置されている。トリガコイル３１Ａが質問波を発生させると、タグＴは回答電波を発信し、タグリーダ３０ＡがタグＴからの回答電波を受信し、物品を特定するための物品ＩＤ（物品特定用情報）を、制御装置４０に送信する。制御装置４０は、受信した物品ＩＤが、登録されている物品であるか否かを判定する。なお、ＩＤは、Identificationの略である。
【００１１】
物品５０を持ち出す人（認証対象者）６０は、出口側の扉１０の近辺に設置されている生体認証装置２０Ａにより、生体認証をする。生体認証装置２０Ａは、読み込んだ生体情報と登録されている生体情報とを比較して、認証されると認証結果である認証対象者を特定する対象者ＩＤ（生体特定用情報）を、制御装置４０に送信する。
【００１２】
制御装置４０は、受信した物品が登録されているかを判定し、登録されている物品であると認証されたとき、物品ＩＤと対象者ＩＤとが関係付けられているかを判定し、判定結果により扉１０の開閉を制御する。
【００１３】
トリガコイル３１Ａは、扉１０の出口側の床面にループ状に埋設され、ループアンテナを形成している。トリガコイル３１Ａは、必要に応じて、図面の中央部に配置される中央トリガコイル３１Ａａ、中央トリガコイル３１Ａａの両側に配置される端部トリガコイル３１Ａｂを有する。ここで、端部トリガコイル３１Ａｂは、中央トリガコイル３１Ａａが発信する質問電波と、位相が反転しているキャンセル電波を発信する。
【００１４】
中央トリガコイル３１Ａａが発信する質問電波は、中央トリガコイル３１Ａａの位置を電波強度のピークとして、弱まりながらも周囲に伝播し、質問電波が、広範囲の領域にわたる場合もある。この場合、扉１０の近辺にいる人がもっているアクティブ型のタグＴが質問電波に反応することが想定される。そこで、第１の実施形態においては、端部トリガコイル３１Ａｂから、中央トリガコイル３１Ａａの質問電波と位相が反転しているキャンセル電波を発信する構成とすることにより、中央トリガコイル３１Ａａの質問電波の広がりを限定することができる。
【００１５】
図１０は、トリガコイルと生体認証装置との位置関係を示す説明図である。ここでは、スライド式の扉１０に適用した持ち出し管理システムの例を用いて説明する。扉１０の出口側には、トリガコイル３１Ａおよび生体認証装置２０Ａが備えられ、扉１０の入口側には、同様に、トリガコイル３１Ｂおよび生体認証装置２０Ｂが備えられている。図１０において、人６０Ａは、左手で物品を持ち、生体認証装置２０Ａのひとつである指静脈認証装置に右手の人差し指の認証をしている状態を示している。このとき、質問電波の広がり範囲は、エリアＸであり、生体認証している人６０Ａの所持している物品のタグＴＡの存在推定位置はエリアＹとなる。また、生体認証している人６０Ａの存在の推定範囲は、エリアＺとなる。図１０に示すように、エリアＹにある物品と、エリアＺにいる人６０Ａとの関連性が高いことが、本発明の特徴となっている。このため、人６０Ａの後方の人６０Ｂが所持する物品のタグＴＢの誤認識を防止することができる。本実施形態では、生体認証は、認証要素（例えば、指）を、その人から物理的に切り離せないことと、所持品は人が運ばないと動かない（自走しない）ことを前提として成り立つ推定である。
なお、図１０においては、扉１０はスライド式の扉の例で説明したが、開き扉の場合にも、トリガコイルと生体認証装置との位置関係は容易に実現することができる。
【００１６】
扉１０の入口側には、物品５０に添付されているアクティブ型のタグＴに対して、質問電波を発生するトリガコイル３１Ｂが床面に、ループ型のアンテナとして設置されている。トリガコイル３１Ｂが質問波を発生させると、タグＴは回答電波を発信し、タグリーダ３０Ｂがタグからの回答電波を受信し、物品を特定するための物品ＩＤを、制御装置４０に送信する。なお、トリガコイル３１Ｂは、中央トリガコイル３１Ｂａと、端部トリガコイル３１Ｂｂとを有する。トリガコイル３１Ｂの機能は、トリガコイル３１Ａの機能と同様であるので、説明は省略する。
【００１７】
物品５０を持ち込む人（認証対象者）６０は、入口側の扉１０の近辺に設置されている生体認証装置２０Ｂにより、生体認証をする。生体認証装置２０Ｂは、読み込んだ生体情報と登録されている生体情報とを比較して、認証されると認証結果である認証対象者を特定する対象者ＩＤ（認証の結果として特定される対象者ＩＤ）を、制御装置４０に送信する。制御装置４０は、物品ＩＤが登録されている物品であるか否かを判定し、登録されている物品であるとき、物品ＩＤと対象者ＩＤとが関係付けられているかを判定し、判定結果により扉１０の開閉を制御する。
【００１８】
本実施形態によれば、物品５０を持ち出す人６０（主たる認証対象者）と、持ち出される物品５０（従属する認証対象物、複数であってもよい。）を夫々、ことなる特性の認証方式で認証し、その結果を総合して物品５０を持ち出す人６０が通過して良いか否かの認証結果を判断している。主たる認証対象者には、存在エリアを限定可能で成りすましできない認証方式である生体認証方式を適用し、従属する認証対象物に関しては、簡易な無線方式を適用した複合した認証方式である。これによれば、正規の持ち出し以外の人が不正に登録物品を持ち出すことができない。
【００１９】
生体認証方式には、静脈認証、指紋認証、アイリス（虹彩）認証、声紋認証、顔認証などがある。無線方式には、ＲＦＩＤ（Radio Frequency Identification）を利用した無線方式であり、アクティブタグ（アクティブ型タグ）、赤外線の質問波に対して応答する赤外線トリガ付アクティブタグ、パッシブタグ（パッシブ型タグ）などを利用することができる。
【００２０】
アクティブタグには、タンパ機能が付加されていることが好ましい。タンパ機能の目的は、物品にタグを付けている時に、（１）タグ自体を外して持ち出してしまう。（２）タグを付け替えて（成りすまし）持ち出してしまう。ことを防ぐことを目的としている。これを実現するため、アクティブタグのタンパ機能として、（１）物品から外した時に異常メッセージを発信する、（２）物品から外す、または、破壊された場合に、警報音を発生する、などの機能を有する。物品に付いたアクティブタグをいきなり破壊される場合も想定されるが、それを防ぐためにはアクティブタグを物品内に内蔵する（見た目にはアクティブタグが付いていることが判らないようにする）ことが好ましい。
【００２１】
図２は、持ち出し管理システムの構成を示すブロック図である。適宜図１を参照して説明する。制御装置４０は、物品関係情報記憶部４１、物品管理履歴記憶部４２、処理部４３を備えている。処理部４３は、タグリーダ３０Ａ，３０Ｂから送信された物品ＩＤを受信すると、受信した物品ＩＤが物品関係情報記憶部４１に登録された物品であるか否かを判定する。また、処理部４３は、生体認証装置２０Ａ，２０Ｂから送信された対象者ＩＤを受信すると、受信した対象者ＩＤが、物品関係情報記憶部４１に登録された物品と関係付けられているか否かを判定する。登録されている物品であり、かつ、物品ＩＤと対象者ＩＤとが関係を満たすときに、扉１０に開錠信号を送信する。制御装置４０は、物品ＩＤ、持ち出し時刻、持ち込み時刻、対象者ＩＤ、および認証結果を、物品管理履歴記憶部４２に記憶する。
【００２２】
タグリーダ３０Ａは、受信アンテナ３２Ａ、受信部３３Ａ、発信部３４Ａを備えている。発信部３４Ａは、トリガコイル３１Ａと接続され、トリガコイル３１Ａから質問電波を発信する。質問電波に応答して、タグＴが回答電波を発信する。受信部３３Ａが、受信アンテナ３２Ａを介して回答電波を受信すると、物品ＩＤを、制御装置４０に送信する。同様に、タグリーダ３０Ｂは、受信アンテナ３２Ｂ、受信部３３Ｂ、トリガコイル３１Ｂと接続される発信部３４Ｂを備えている。タグリーダ３０Ｂの機能は、タグリーダ３０Ａの機能と同様であるので、説明は省略する。
【００２３】
生体認証装置２０Ａは、物品５０を持ち出す人（認証対象者）６０の生体を読み込み認証する。本実施形態においては、認証されると、対象者ＩＤを制御装置４０に送信している。生体認証装置２０Ａの代わりに、読み込んだ生体情報を制御装置４０に送信し、生体認証を制御装置４０内で認証してもよい。生体認証装置２０Ｂの機能は、生体認証装置２０Ａと同様であるので説明は省略する。
【００２４】
図３は、物品と関係する情報である物品関係情報を示す説明図である。図３（ａ）は、物品ＩＤ、物品名称、対象者ＩＤとの関係を示す。行４１１〜行４１５には、登録された内容が記載されている。具体的には、行４１１から、Ｇ００１の物品は、パーソナルコンピュータであるＰＣ００１であり、持ち出し対象者ＩＤはＡであることをわかる。行Ｇ４１２から、Ｇ００２の物品は、パーソナルコンピュータであるＰＣ００２であり、持ち出し対象者ＩＤはＢであることをわかる。行４１３から、Ｇ００３の物品は、パーソナルコンピュータであるＰＣ００３であり、持ち出し対象者ＩＤはＡおよびＢであることをわかる。行４１４から、Ｇ００４の物品は、パーソナルコンピュータであるＰＣ００４であるが、持ち出し対象者が登録されていない（無）ことをわかる。
【００２５】
また、通常、物品の持ち出しをしないで、部屋の入退室をする対象者を登録しておいてもよい。行４１５には、対象者ＩＤがＡ、Ｂ、およびＣが登録されているが、物品ＩＤとの関係付けをしていない。
【００２６】
図３（ｂ）は、図３（ａ）に示す物品関係情報を、対象者ＩＤ毎に並べ換えした場合である。行４１６から、対象者ＩＤがＡの場合、Ｇ００１、Ｇ００２の持ち出しができる。行４１７から、対象者ＩＤがＢの場合、Ｇ００２、Ｇ００３の持ち出しができる。行４１８から、対象者ＩＤがＣの場合、持ち出しができないが入退室ができることがわかる。
【００２７】
図３においては、持ち出し管理品である物品ＩＤと関係する情報として説明したが、これに限る必要はない。持ち込み管理品である物品ＩＤと関係する情報としても利用することができる。管理者が、持ち出し管理品と、持ち込み管理品を、別々に管理する必要がある場合には、夫々の物品関係情報を記憶すればよい。
【００２８】
次に、認証手順について説明する。
図４は、持ち出し管理システムの認証手順を示すフローチャートである。適宜図１および図２を参照して説明する。人６０が扉１０付近に近づくと、トリガ信号（質問電波）にアクティブタグであるタグＴが反応し、タグＴは物品ＩＤを発信する（ステップＳ１）。タグリーダ３０Ａ，３０Ｂが物品ＩＤを受信し、制御装置４０に送信する（ステップＳ２）。生体認証装置２０Ａ、２０Ｂは、人６０の認証結果である対象者ＩＤを、制御装置４０へ送信する（ステップＳ３）。
【００２９】
制御装置４０は、物品ＩＤの認証情報と対象者ＩＤの生体認証情報とを総合し、認証結果を判断する（ステップＳ４）。具体的には、制御装置４０は、受信した物品ＩＤが物品登録されているかを判定し、登録されている物品であると判定（認証）されたとき、物品ＩＤと対象者ＩＤとが関係付けられているかを判定し、関係付けの条件を満たすか否かを判断する。制御装置４０は、認証結果（判断結果）により、扉１０の開閉を実施する（ステップＳ５）。
【００３０】
なお、ステップＳ４において、受信した物品ＩＤが単一の場合に限らない。受信した物品ＩＤが複数のときも同様に、制御装置４０は、夫々の受信した物品ＩＤが物品登録されているかを判定し、登録されている物品であると判定（認証）されたとき、夫々の物品ＩＤと対象者ＩＤとが関係付けられているかを判定し、関係付けの条件を満たすか否かを判断する。具体的には、図３において、対象者ＩＤがＡの人が、物品ＩＤがＧ００１およびＧ００３を持ち出そうとした場合、制御装置４０が、Ｇ００１およびＧ００３が夫々、登録されている物品であるか否かを判定し、Ｇ００１およびＧ００３の物品が、対象者ＩＤがＡの人が持ち出すことを許可されているか否かを判定する。
【００３１】
図５は、物品管理履歴記憶部に記憶される履歴情報を示す説明図である。物品管理履歴記憶部４２に記憶される履歴情報には、入退室の履歴情報が記憶され、物品ＩＤ、持ち出しの時刻（持出時刻または退室時刻）、持ち込みの時刻（持込時刻または入室時刻）、対象者ＩＤ、認証の結果、および備考が含まれる。具体的には、対象者ＩＤがＡの人は、２００Ｘ年７月１３日８時１０分（２００Ｘ／７／１３  ８：１０）に入室し、対象者ＩＤがＢの人は、２００Ｘ年７月１３日８時３０分に入室している。その後、Ａの人は、Ｇ００１の物品を２００Ｘ年７月１３日９時１０分に持ち出している。また、Ｂの人は、Ｇ００２の物品を２００Ｘ年７月１３日１３時００分に持ち出している。そして、Ａの人は、Ｇ００１の物品を持って、２００Ｘ年７月１３日１３時３０分に入室している。対象者ＩＤがＣの人は、２００Ｘ年７月１３日１７時２０分に入室し、Ｇ００３の物品の持ち出しをしようとしたが、許可が得られず（認証がＮＧ）、２００Ｘ年７月１３日１８時２１分に、何も持たないで退室していることがわかる。
【００３２】
本実施形態は、電磁ロック手段を備える出口（例えば、電気錠付きの扉１０）を有する所定空間からの物品の持ち出しを管理する物品管理システムであって、物品を特定する物品特定用情報が書き込まれたＩＣタグ（例えば、タグＴ）から物品特定用情報を読み取るタグリーダ３０Ａと、生体からの情報を読み取り生体を認証する生体認証装置２０Ａと、生体認証手段により特定された生体特定用情報と、物品特定用情報とに基づいて、所定空間からの物品特定用情報で特定される物品の持ち出しを許可するか否かを判定し、判定が許可であるとき電磁ロック手段を開状態に制御する制御装置４０と、を有しているので、正規の持ち出し以外の者が不正に登録物品を持ち出すことができない。
【００３３】
また、本実施形態は、電磁ロック手段を備える入口（例えば、電気錠付きの扉１０）を有する所定空間への物品の持ち込みを管理する物品管理システムであって、物品を特定する物品特定用情報が書き込まれたＩＣタグ（例えば、タグＴ）から物品特定用情報を読み取るタグリーダ３０Ｂと、生体からの情報を読み取り生体を認証する生体認証装置２０Ｂと、生体認証手段により特定された生体特定用情報と、物品特定用情報とに基づいて、所定空間への物品特定用情報で特定される物品の持ち込みを許可するか否かを判定し、判定が許可であるとき電磁ロック手段を開状態に制御する制御装置４０と、を有しているので、正規の持ち込み以外の者が不正に登録物品を持ち込むことができない。
【００３４】
持ち出しを管理する物品管理システムの適用例としては、物品として貴重品（例えば、パーソナルコンピュータ）、危険物などがある。パーソナルコンピュータには、守秘義務のある情報を有していることがあるので、使用者および員数管理が重要となる。また、放射性の危険物、あるいは、有毒な薬品などは、持ち出し物品の管理が必要となる。
【００３５】
持ち込みを管理する物品管理システムの適用例としては、物品として工具などがある。具体的には、持ち込む作業者（例えば、溶接工、電気工）は、作業の権限があり、作業権限のスキル以外の工具を作業区域へ持ち込むことは何らかの不正や事故につながる。このため、持ち込み物品の管理が必要となる。
【００３６】
《第２の実施形態》
第２の実施形態は、物品管理システムを、車両管理システムに適用した実施形態である。第２の実施形態に係る車両管理システムである車両入退場管理システムを図６から図９を参照しながら説明する。
【００３７】
図６は、本発明の第２の実施形態に係る車両入退場管理システムを示す概略図である。ここでは、管理される複数の車両５１の車両入退場管理システムである。車両入退場管理システムは、開閉機能付きのゲート１１、車番認識装置２１Ａ，２１Ｂ，タグリーダ３０Ａ，３０Ｂ、トリガコイル３１Ａ，３１Ｂ、および制御装置４０を備えている。
【００３８】
ゲート１１の出口側には、車両５１に乗車している人（例えば、運転手、搭乗者）が装着しているアクティブ型のタグＴ（搭乗者全員が装着しているため、タグＴ１，Ｔ２）に対して、質問電波を発生するトリガコイル３１Ａが地面に、ループ型のアンテナとして設置されている。トリガコイル３１Ａが質問波を発生させると、タグＴは回答電波を発信し、タグリーダ３０ＡがタグＴからの回答電波を受信し、対象者を特定するための対象者ＩＤ（搭乗者特定用情報）を、制御装置４０に送信する。制御装置４０は、受信した対象者ＩＤが、登録されている物品であるか否かを判定する。
【００３９】
車両５１は、出口側のゲート１１の近辺に設置されている車番認識装置２１Ａにより、ナンバープレートの車番を読み取り、画像処理により認識する。車番認識装置２１Ａは、認識した車番情報を、制御装置４０に送信する。
【００４０】
制御装置４０は、受信した対象者ＩＤが登録されているかを判定し、登録されている対象者であるか否かを認証する。制御装置４０は、受信した車番情報から車両を特定する車両ＩＤ（車番特定用情報）を求め、車両ＩＤと対象者ＩＤとが関係付けられているかを判定し、判定結果によりゲート１１の開閉を制御する。
【００４１】
ゲート１１の入口側にも、同様に、タグＴに対して、質問電波を発生するトリガコイル３１Ｂが地面に、ループ型のアンテナとして設置されている。トリガコイル３１Ｂが質問波を発生させると、タグＴは回答電波を発信し、タグリーダ３０ＢがタグＴからの回答電波を受信し、人を特定するための対象者ＩＤを、制御装置４０に送信する。
【００４２】
車両５１は、入口側のゲート１１の近辺に設置されている車番認識装置２１Ｂにより、ナンバープレートの車番を読み取り、画像処理により認識する。車番認識装置２１Ｂは、認識した車番情報を、制御装置４０に送信する。
【００４３】
制御装置４０は、受信した対象者ＩＤが登録されているかを判定し、登録されている対象者であるか否かを認証する。制御装置４０は、受信した車番情報から車両を特定する車両ＩＤを求め、車両ＩＤと対象者ＩＤとが関係付けられているかを判定し、判定結果によりゲート１１の開閉を制御する。
【００４４】
本実施形態によれば、入退場する車両５１（主たる認証対象物）と、持ち出す人（従属する認証対象者、複数であってもよい。）を夫々、ことなる特性の認証方式で認証し、その結果を総合して車両５１が通過して良いか否かの認証結果を判断している。主たる認証対象物には、存在エリアを限定可能で成りすましを防止するため、光学式の車番認識装置を適用し、従属する認証対象者に関しては、簡易な無線方式を適用した複合した認証方式である。これによれば、登録された車両を管理することができる。
【００４５】
車番認識装置２１Ａ，２１Ｂは、暗い場所でも確実な撮影ができるように、赤外照明により、ナンバープレートを読み取りできる。無線方式には、ＲＦＩＤを利用した無線方式であり、アクティブタグ、赤外線の質問波に対して応答する赤外線トリガ付アクティブタグ、パッシブタグなどが利用することができる。
【００４６】
図７は、車両入退場管理システムの構成を示すブロック図である。適宜図６を参照して説明する。図２と同一構成品には、同一番号を付してある。制御装置４０は、車両関係情報記憶部４１ａ、車両管理履歴記憶部４２ａ、処理部４３を備えている。処理部４３は、タグリーダ３０Ａ，３０Ｂから送信された対象者ＩＤを受信すると、受信した対象者ＩＤが車両関係情報記憶部４１ａに登録された対象者であるか否かを判定する。また、処理部４３は、車番認識装置２１Ａ，２１Ｂから送信された車番情報を受信すると、受信した車番情報から、車両ＩＤを特定する。車両ＩＤが特定されたとき、車両ＩＤが、車両関係情報記憶部４１ａに登録された対象者ＩＤと関係付けられているか否かを判定する。登録されている対象者であり、かつ、物品ＩＤと対象者ＩＤとが関係を満たすときに、ゲート１１に開ゲート信号を送信する。制御装置４０は、車両ＩＤ、退場時刻、入場時刻、対象者ＩＤ、認証結果を車両管理履歴記憶部４２ａに記憶する。
【００４７】
本実施形態においては、車番認識装置２１Ａ，２１Ｂは、ナンバープレートの車番を読み取り、画像処理により車番を認識し、制御装置４０へ車番情報を送信している。そして、制御装置４０は、受信した受信した車番情報から、車両ＩＤを特定しているが、これに限るものではない。車番認識装置２１Ａ，２１Ｂ内に、認識した車番情報と車両ＩＤとの関係情報の記憶部があってもよい。車番認識装置２１Ａ，２１Ｂは、認識した車番情報から車両ＩＤを特定し、特定した車両ＩＤを、制御装置４０に送信し、制御装置４０の処理部４３は、受信した車両ＩＤが、車両関係情報記憶部４１ａに登録された対象者ＩＤと関係付けられているか否かを判定してもよい。
【００４８】
図８は、車両と関係する情報である車両関係情報を示す説明図である。図８（ａ）は、車両ＩＤ、車番、対象者ＩＤとの関係を示す。車両関係情報記憶部４１ａに登録された内容が記載されている。具体的には、Ｃ００１の車両は、車番「東京１１  や１０−１１」であり、対象者ＩＤはＡであることをわかる。Ｃ００２の車両は、車番「東京  や１０−１２」であり、対象者ＩＤはＢであることをわかる。Ｃ００３の車両は、車番「東京  や１０−１３」であり、対象者ＩＤはＡおよびＢであることをわかる。Ｃ００４の車両は、車番「東京１１  や１０−１４」であるが、対象者ＩＤが登録されていない（無）ことをわかる。また、対象者ＩＤがＣの人には、車両ＩＤが関係付けられていないことがわかる。
【００４９】
図８（ｂ）は、図８（ａ）に示す車両関係情報を、対象者ＩＤ毎に並べ換えした場合である。対象者ＩＤがＡの場合、Ｃ００１およびＣ００３の車両の入退場ができる。対象者ＩＤがＢの場合、Ｃ００２およびＣ００３の車両の入退場ができる。対象者ＩＤがＣの場合、車両の入退場ができないことがわかる。
【００５０】
次に、認証手順について説明する。
図９は、車両入退場管理システムの認証手順を示すフローチャートである。適宜図６および図７を参照して説明する。車両がゲート１１付近に近づくと、トリガ信号（質問電波）にアクティブタグであるタグＴが反応し、タグＴは対象者ＩＤを発信する（ステップＳ１１）。タグリーダ３０Ａ，３０Ｂが対象者ＩＤを受信し、制御装置４０に送信する（ステップＳ１２）。車番認識装置２１Ａ、２１Ｂは、ナンバープレートの認証結果である車番情報を、制御装置４０へ送信する（ステップＳ１３）。
【００５１】
制御装置４０は、対象者ＩＤの認証情報と車番の車番認証情報とを総合し、認証結果を判断する（ステップＳ１４）。具体的には、制御装置４０は、受信した対象者ＩＤが登録されているかを判定し、登録されている対象者であると判定（認証）されたとき、車番情報から該当する車両ＩＤを求め、車両ＩＤと対象者ＩＤとが関係付けられているかを判定し、関係付けの条件を満たすか否かを判断する。制御装置４０は、認証結果（判断結果）により、ゲート１１の開閉を実施する（ステップＳ１５）。
【００５２】
制御装置４０は、ゲート１１に開ゲート信号を送信後、所定時間後にゲート１１に閉ゲート信号を送信してもよいし、車両がゲート１１を通過したことを知らせる他の検知信号により、閉ゲート信号を送信してもよい。例えば、車両５１が退場する際には、入口側のトリガコイル３１Ｂ（図６参照）の質問電波に応答して、タグＴが応答電波を送信することも利用することができる。
【００５３】
本実施形態の車両管理システムである車両入退場システムは、ゲート１１を備える所定空間からの車両の入退場を管理する車両管理システムであって、ゲート１１の出口側に、搭乗者を特定する情報が書き込まれたＩＣタグから搭乗者特定用情報を読み取るタグリーダ３０Ａと、車両の車番を認識する車番認識装置２１Ａと、ゲート１１の入口側に、搭乗者を特定する情報が書き込まれたＩＣタグから搭乗者特定用情報を読み取るタグリーダ３０Ｂと、車両の車番を認識する車番認識装置２１Ｂと、ゲート１１の開閉を制御する制御装置４０を備えている。
【００５４】
制御装置４０は、車番認識装置２１Ａにより認識された車番から特定された車番特定用情報と、タグリーダ３０Ａからの搭乗者特定用情報とに基づいて、所定空間からの持ち出しを許可するか否かを判定し、判定が許可であるとき開閉ゲートを開状態に制御し、車番認識装置２１Ｂにより認識された車番から特定された車番特定用情報と、タグリーダ３０Ｂからの搭乗者特定用情報とに基づいて、所定空間への持ち込みを許可するか否かを判定し、判定が許可であるとき開閉ゲートを開状態に制御する。
【図面の簡単な説明】
【００５５】
【図１】本発明の第１の実施形態に係る持ち出し管理システムを示す概略図である。
【図２】持ち出し管理システムの構成を示すブロック図である。
【図３】物品と関係する情報である物品関係情報を示す説明図である。
【図４】持ち出し管理システムの認証手順を示すフローチャートである。
【図５】物品管理履歴記憶部に記憶される履歴情報を示す説明図である。
【図６】本発明の第２の実施形態に係る車両入退場管理システムを示す概略図である。
【図７】車両入退場管理システムの構成を示すブロック図である。
【図８】車両と関係する情報である車両関係情報を示す説明図である。
【図９】車両入退場管理システムの認証手順を示すフローチャートである。
【図１０】トリガコイルと生体認証装置との位置関係を示す説明図である。
【符号の説明】
【００５６】
１０    扉
１１    ゲート
２０Ａ，２０Ｂ    生体認証装置
２１Ａ，２１Ｂ    車番認識装置
３０Ａ，３０Ｂ    タグリーダ
３１Ａ，３１Ｂ    トリガコイル
４０    制御装置
４１    物品関係情報記憶部
４２    物品管理履歴記憶部
４３    処理部
５０    物品
５１    車両
６０    人
Ｔ      タグ
【図１】
2009035994.tif 000003
【図２】
2009035994.tif 000004
【図３】
2009035994.tif 000005
【図４】
2009035994.tif 000006
【図５】
2009035994.tif 000007
【図６】
2009035994.tif 000008
【図７】
2009035994.tif 000009
【図８】
2009035994.tif 000010
【図９】
2009035994.tif 000011
【図１０】
2009035994.tif 000012